(57)【要約】【課題】ヒューズの視認性およびヒューズ挿入時の作業性を改善した、ヒューズキャビティを有する電気接続箱を車載計器に取り付ける車載計器への電気接続箱の取り付け構造を提供すること。【解決手段】車載計器２に電気接続箱１を取り付ける車載計器２への電気接続箱１の取り付け構造において、電気接続箱２片側側面のみに、複数のヒューズキャビティＨＣが一列に整列されたヒューズキャビティ部が形成され、電気接続箱１は、ヒューズキャビティ部の形成面が車載計器１の片側側面と同一面になるようにまたは車載計器１の片側側面より突出するように、車載計器１の背面に取り付けられている。【選択図】図１
2008206328.tif 000002
【特許請求の範囲】
【請求項１】
車載計器に電気接続箱を取り付ける車載計器への電気接続箱の取り付け構造において、
前記電気接続箱の片側側面のみに、複数のヒューズキャビティが一列に整列されたヒューズキャビティ部が形成され、
前記電気接続箱は、前記ヒューズキャビティ部の形成面が前記車載計器の片側側面と同一面になるようにまたは前記車載計器の片側側面より突出するように、前記車載計器の背面に取り付けられている
ことを特徴とする車載計器への電気接続箱の取り付け構造。
【発明の詳細な説明】
【技術分野】
【０００１】
本発明は、ヒューズキャビティが設けられた電気接続箱を車載計器に取り付ける車載計器への電気接続箱の取り付け構造に関するものである。
【背景技術】
【０００２】
近年、多くの車両内には、車両のワイヤハーネスの接続処理用の部品や、ヒューズ、リレー、電子制御ユニット等の電気部品を収容するために、ジャンクションボックス、ヒューズボックス、リレーボックス等の電気接続箱が用いられている。この電気接続箱は、車両の各種メータと共に、インストルメントパネル内に配置されることが多い。
【０００３】
また、インストルメントパネルでメータや電気接続箱が別々に配置されるとワイヤハーネスの配索が複雑になるため、メータや電気接続箱の交換作業性及び解体作業性を考慮して、メータの背面に電気接続箱を一体的に組み付けることが提案されている。（たとえば、特許文献１参照。）。
【０００４】
ところで、通常、電気接続箱には、ヒューズを差し込むヒューズキャビティが設けられている（たとえば、特許文献２参照。）。
【０００５】
そして、このようなヒューズキャビティ付き電気接続箱をインストルメントパネルに収容されるメータに一体的に組み付ける場合、メータの裏面に電気接続箱を組み付け、さらに、組み付けられた電気接続箱の裏面にヒューズキャビティを設け、ヒューズのメンテナンスが行い易いようにしていた。
【特許文献１】特開平７−２５７２３３号号公報
【特許文献２】特開平６−２６７３９８号公報
【発明の開示】
【発明が解決しようとする課題】
【０００６】
しかしながら、電気接続箱の裏面にヒューズキャビティを設けると、ヒューズの状態を確認することができないため視認性が悪く、またヒューズを交換するには、電気接続箱付きメータをインストルメントパネルから取り外さなければならず、作業性が悪いという問題があった。
【０００７】
そこで、本発明は、上記のような問題点に鑑みて、ヒューズキャビティ付き電気接続箱を車載計器に取り付けた場合のヒューズの視認性およびヒューズ挿入・交換時の作業性を改善することができる車載計器への電気接続箱の取り付け構造を提供することを目的としている。
【課題を解決するための手段】
【０００８】
請求項１記載の発明は、車載計器に電気接続箱を取り付ける車載計器への電気接続箱の取り付け構造において、前記電気接続箱の片側側面のみに、複数のヒューズキャビティが一列に整列されたヒューズキャビティ部が形成され、前記電気接続箱は、前記ヒューズキャビティ部の形成面が前記車載計器の片側側面と同一面になるようにまたは前記車載計器の片側側面より突出するように、前記車載計器の背面に取り付けられていることを特徴とする。
【０００９】
請求項１記載の発明においては、電気接続箱の片側側面のみに、複数のヒューズキャビティが一列に整列されたヒューズキャビティ部が形成され、電気接続箱は、ヒューズキャビティ部の形成面が車載計器の片側側面と同一面になるようにまたは車載計器の片側側面より突出するように、車載計器の背面に取り付けられている。それにより、ヒューズの取り付け状況を車載計器の一側面側から一度に確認することができると共に、ヒューズ挿入・交換時等において作業を一方向から行うことができるので、作業性が向上する。
【発明の効果】
【００１０】
請求項１記載の発明によれば、車載計器の背面側に取り付けられた電気接続箱に設けられたヒューズキャビティへのヒューズの取り付け状況を車載計器の一側面側から一度に確認することができる。また、ヒューズ挿入・交換時等において、ヒューズの抜き差しの作業を一方向から行うことができるので、作業性が向上する。
【発明を実施するための最良の形態】
【００１１】
以下、本発明について、図面を参照して説明する。図１は、本発明の実施の形態に係る車載計器への電気接続箱の取り付け構造を示す斜視図であり、図２および図３は、それぞれ、図１における電気接続箱の斜視図および分解斜視図であり、図４は、車載計器への電気接続箱の取り付け構造を示す部分断面側面図であり、図５は、インストルメントパネルへの電気接続箱付き車載計器の取付状態を示す分解斜視図である。
【００１２】
図１に示すように、電気接続箱１は、車両のインストルメントパネルに組み込まれる車載計器２の背面に取り付けられる。車載計器２は、速度計、回転計、水温計等を含む周知のコンビネーションメータである。
【００１３】
電気接続箱１は、図２および図３に示すように、コネクタＣ１が設けられたアンダーカバー１１と、コネクタＣ２が設けられたメインカバー１２から構成されている。アンダーカバー１１は、コネクタＣ１のハウジングが設けられ、開口部が正面側に向けられる受皿状のカバー基台１１１と、バスバーユニット１３（バスバー基板）および布線ユニット１４（基板）などが積層されて収容され、開口部が背面側に向けられる受皿状の収容室１１２（収容ボックス）とから構成されている。
【００１４】
コネクタＣ１は、車載計器２の背面に設けられた図示しないコネクタ受部に嵌合するようになっており、これにより電気接続箱１が車載計器２の背面に取り付けられる。また、バスバーユニット１３の左右方向Ｙ１の一方の端部には、複数のヒューズキャビティＨＣが一列に整列されて設けられている。収容室１１２の左右方向Ｙ１の側面には、側面開口部１１２ａが設けられている。
【００１５】
また、図３に示すように、収容室１１２の側面開口部１１２ａには、収容室１１２の側面に沿って立設するボス１１２ｂが複数個（本実施の形態では６個）一列に整列した状態で一体形成されている。より詳細には、ボス１１２ｂは、その四角柱状部の上に四角柱部より小さい外径を有する円柱状部が形成された形状とされ、円柱状部が、メインカバー１２の左右側端部に設けられた嵌合部１２１の嵌合穴に挿入される。また、四角柱部の４つの外周面のうちの外部側の外周面が、収容室１１２の側面と同一面になるように形成されている。また、複数のボス１１２ｂは、図４に示すように、ヒューズキャビティＨＣにヒューズＨを填めることができる間隔で設けられている。
【００１６】
収容室１１２内にバスバーユニット１３および布線ユニット１４を収容し、メインカバー１２の嵌合部１２１の嵌合穴にボス１１２ｂを嵌合することにより、メインカバー１２が、収容室１１２の背面側開口部１１２ｃを塞ぐように取り付けられる。それにより、図４に示すように、収容室１１２の側面開口部１１２ａに立設されたボス１１２ｂの間からヒューズキャビティＨＣが露出するように構成されている。なお、バスバーユニット１３には、ヒューズキャビティＨＣにヒューズＨが差し込まれた際にヒューズＨの端子に電気的に接続される、図示しないキャビティ端子が設けられている。
【００１７】
すなわち、ヒューズキャビティＨＣ、側面開口部１１２ａおよびボス１１２ｂは、ヒューズＨを抜き差し可能なヒューズキャビティ部を形成している。なお、ヒューズキャビティ部を形成するために、収容室１１２の側面に側面開口部１１２ａを設けた場合であっても、ボス１１２ｂにより、ヒューズＨの挿入が妨げられることなく全体的な剛性の向上を図ることができる。しかも、ボス１１２ｂを流用して、収容室１１２に対するメインカバー１２の取り付けも行うことができる。
【００１８】
車載計器２は、図４に示すように、周知の如く、所定の速度値を指示する指針２１ａと、指針２１ａを回動させるムーブメント２１ｂと、ムーブメント２１ｂやマイコンなどの電子部品２１ｃおよび図示しない光源素子などを搭載する基板２１ｄと、速度値などの指標が形成された文字板２１ｅと、光源素子からの光を文字板２１ｅに効率的に導くための導光板２１ｆと、文字板２１ｅの正面側に取り付けられる見返し２１ｇと、文字板２１ｅの前方に覆設される表ガラス２１ｈとケース２１ｉとから構成されている。
【００１９】
再び図１に戻って、コネクタＣ１は、車載計器２の背面に設けられた図示しないコネクタ受部に嵌合するようになっており、これにより、電気接続箱１が車載計器２の背面に取り付けられるが、コネクタ受部とコネクタＣ１は、コネクタ受部へのコネクタＣ１の嵌合時に、ヒューズキャビティ部の形成面、すなわち、ボス１１２ｂの４つの外周面のうちの収容室１１２の側面と同一面になるように形成されている外部側の外周面（したがって、収容室１１２の側面）が車載計器２の片側側面と同一面となるように位置決めされている。
【００２０】
このように、コネクタＣ１で一体化された電気接続箱１付き車載計器２は、図５に示すように、メータモジュール組立体１０の一部としてインストルメントパネル３に組み付けられる。すなわち、インストルメントパネル３の開口部の前面から電気接続箱１付き車載計器２が組み付けられ、後面からインパネハーネス４が組み付けられる。
【００２１】
メータモジュール組立体１０は、電気接続箱１付き車載計器２と、これらを組み付けるリアフレーム５と、車載計器２の前面に取り付けられるフィニッシュパネル６とから構成される。リアフレーム５は、メータモジュール組立体１０をインストルメントパネル３の所定の位置に装着するための基準となる骨格を形成するものであり、合成樹脂材の成形加工により枠状に形成されている。リアフレーム５内に、電気接続箱１付き車載計器２をネジ等の係止具を用いて装着し、車載計器２の前面外側を覆うようにフィニッシュパネル６を装着することにより、メータモジュール組立体１０が形成される。
【００２２】
以上説明したように、電気接続箱１のヒューズキャビティ部の形成面が車載計器２の片側側面と同一面となるように位置決めされているため、車載計器２の背面へ電気接続箱１を取り付け、ヒューズキャビティＨＣへヒューズＨを填め込むと、ヒューズＨの取り付け状況を車載計器２の一側面側から一度に確認することができる。また、ヒューズＨの交換時等において、ヒューズＨの抜き差しの作業を一方向だけから行うことができるので作業性が従来より向上する。また、電気接続箱１付き車載計器２をインストルメントパネル３から取り外すことなくメータモジュール組立体１０のフィニッシュパネル６を取り外せば、車載計器２の側面からヒューズキャビティＨＣへのヒューズＨの挿入や交換を行うことができ、作業性が向上する。
【００２３】
以上の通り、本発明の実施の形態について説明したが、本発明はこれに限らず、種々の変形、応用が可能である。
【００２４】
たとえば、上述した実施の形態では、電気接続箱１は、ヒューズキャビティ部の形成面、すなわち、ボス１１２ｂの４つの外周面のうちの収容室１１２の側面と同一面になるように形成されている外部側の外周面（したがって、収容室１１２の側面）が車載計器２の片側側面と同一面となるように、車載計器２へ取り付けられているが、これに代えて、ボス１１２ｂの４つの外周面のうちの収容室１１２の側面と同一面になるように形成されている外部側の外周面（したがって、収容室１１２の側面）が車載計器２の片側側面より突出するように、車載計器２へ取り付けても良い。
【００２５】
また、上述した実施の形態では、収容室１１２にボス１１２ｂを形成し、メインカバー１２に嵌合穴１２１ａを形成していたが、逆に、メインカバー１２にボス１１２ｂを形成し、収容室１１２に嵌合穴１２１ａを形成する構成としても良い。
【００２６】
また、ヒューズキャビティ部は、上述の実施の形態では、ヒューズキャビティＨＣ、側面開口部１１２ａおよびボス１１２ｂから構成されているが、このような形態に限らず、たとえば特開平６−２６７３９８号公報に示されているように、電気接続箱の側面から突出するように一体形成されかつ一列に配列された対向するコ字状突出部で形成される複数のヒューズキャビティのみとしても良い。この場合には、複数のヒューズキャビティは、同一形状とされ、コ字状突出部の突出面が、ヒューズキャビティ部の形成面として電気接続箱１の片側側面と同一面になるように、または片側側面より突出するように、電気接続箱１を車載計器２の背面へ取り付ければ良い。
【００２７】
また、上述の実施の形態では、車載計器２は、速度計、回転計、水温計等を含む周知のコンビネーションメータであるが、これに限らず、速度計等を基本とする単眼メータでも良い。
【図面の簡単な説明】
【００２８】
【図１】本発明の実施の形態に係る車載計器への電気接続箱の取り付け構造を示す斜視図である。
【図２】図１における電気接続箱を示す斜視図である。
【図３】図１における電気接続箱の分解斜視図である。
【図４】図１の車載計器への電気接続箱の取り付け構造を示す部分断面側面図である。
【図５】インストルメントパネルへの電気接続箱付き車載計器の取付状態を示す分解斜視図である。
【符号の説明】
【００２９】
１        電気接続箱
２        車載計器
１１２    収容室
１１２ａ  側面開口部
１１２ｂ  ボス
１２１ａ  嵌合穴
ＨＣ      ヒューズキャビティ
【図１】
2008206328.tif 000003
【図２】
2008206328.tif 000004
【図３】
2008206328.tif 000005
【図４】
2008206328.tif 000006
【図５】
2008206328.tif 000007